(57)【特許請求の範囲】
【請求項１】
高温再生器、低温再生器、凝縮器、蒸発器及び吸収器等を接続して冷媒及び吸収溶液の１次側循環回路を形成し、暖房運転時に室内機から液冷媒管を介して戻ってきた液冷媒を暖房弁を介して導入して加熱し、生成される冷媒ガスを冷媒ガス管を介して前記室内機に供給する暖房用熱交換器と、冷房運転時に前記室内機から前記冷媒ガス管を介して戻ってきた冷媒ガスを冷却、凝縮させる冷房用熱交換器と、該冷房用熱交換器で凝縮した液冷媒を溜めるレシーバタンクと、前記レシーバタンク内の液冷媒を逆止弁を介して前記液冷媒管に戻して前記室内機に供給する液冷媒搬送装置とによって２次側循環回路を形成した吸収式冷暖房装置の暖房運転制御方法において、前記暖房弁が開かれた暖房運転の際に、前記レシーバタンクに滞留した液冷媒が所定の量に達した時に、液冷媒搬送装置を起動して前記レシーバタンク内の液冷媒を前記暖房用熱交換器の液側に戻すことを特徴とする吸収式冷暖房装置の暖房運転制御方法。
【請求項２】
請求項１において、前記レシーバタンクに滞留した液冷媒の液レベルが所定の量に達した時から一定の時間が経過した時に、前記レシーバタンク内の液冷媒を前記暖房用熱交換器の液側に戻すことを特徴とする吸収式冷暖房装置の暖房運転制御方法。
【発明の詳細な説明】
【０００１】
【発明の属する技術分野】
本発明は、吸収式冷暖房装置の暖房運転制御方法に関するものである。
【０００２】
【従来の技術】
図４は、吸収式冷暖房装置、例えば空冷吸収式冷暖房装置内に設けられた２次側循環回路２を示す系統図である。従来、暖房運転の際は、図示していない室内機から２次側液冷媒管１９を介して液冷媒３２ａが導入され、暖房弁１６を経由して加熱熱交換器である暖房用熱交換器３に供給され、ここで加熱、ガス化して冷媒ガス管１７より再び室内機へ送られる。冷媒ガス管１７には、温度検知のための温度センサー１８が設けられており、これによって出力制御が行なわれているが、この時、冷房用熱交換器である蒸発器７で凝縮した液冷媒３２を搬送するブースター１０は停止している。
【０００３】
【発明が解決しようとする課題】
しかしながら、暖房用熱交換器３で加熱されガス化した２次側冷媒ガス３１は、冷媒ガス管１７側へ流れるのみならず、一部は蒸発器７側にも流れて充満し、外気で冷却されて凝縮し、蒸発器７に接続されたレシーバタンク１３内に滞留する。従って、本来搬送されるべき２次側配管内の液冷媒量が不足し、暖房用熱交換器３への導入量が低下して、液冷媒量に対し加熱力が優るため、冷媒ガス３１が即高温となり、これを先の温度センサー１８が検知し、頻繁に吸収式冷暖房装置を発停させるので、継続的な暖房運転が出来なくなる。
【０００４】
図５は、従来の暖房運転方法の制御系統図である。暖房運転スタート指令１００によりブースター停止１０１が行なわれると共に、暖房弁開１０２が行なわれることにより２次側冷媒ガスの回路が形成され、室内機に冷媒ガスが供給され暖房が行なわれる。しかし、図６に示すように、この暖房運転制御方法では、運転と停止が頻繁に繰り返し行なわれ継続的な暖房運転が行なわれることが困難である。
【０００５】
本発明の課題は、冷媒及び吸収溶液の１次側循環回路を形成し、冷暖房のための２次側冷媒の加熱又は冷却を行なう吸収式冷暖房装置の暖房運転制御方法において、暖房運転の際に２次側冷媒管の液不足を解消し、継続的に十分な暖房出力が得られることである。
【０００６】
【課題を解決するための手段】
上記課題を解決するため本発明は、高温再生器、低温再生器、凝縮器、蒸発器及び吸収器等を接続して冷媒及び吸収溶液の１次側循環回路を形成し、暖房運転時に室内機から液冷媒管を介して戻ってきた液冷媒を暖房弁を介して導入して加熱し、生成される冷媒ガスを冷媒ガス管を介して前記室内機に供給する暖房用熱交換器と、冷房運転時に前記室内機から前記冷媒ガス管を介して戻ってきた冷媒ガスを冷却、凝縮させる冷房用熱交換器と、該冷房用熱交換器で凝縮した液冷媒を溜めるレシーバタンクと、前記レシーバタンク内の液冷媒を逆止弁を介して前記液冷媒管に戻して前記室内機に供給する液冷媒搬送装置とによって２次側循環回路を形成した吸収式冷暖房装置の暖房運転制御方法において、前記暖房弁が開かれた暖房運転の際に、前記レシーバタンクに滞留した液冷媒が所定の量に達した時に、液冷媒搬送装置を起動して前記レシーバタンク内の液冷媒を前記暖房用熱交換器の液側に戻すことである。
【０００７】
これによれば、２次側冷媒の冷媒ガスが凝縮することによって発生する加熱熱交換器への液冷媒量の不足を補うことができ、２次側冷媒の適正な冷媒量を確実に確保することができ、２次側冷媒が過熱されることなく継続的に十分な暖房出力が得られる。
【０００８】
そして、先の吸収式冷暖房装置の暖房運転制御方法において、前記レシーバタンクに滞留した液冷媒の液レベルが所定の量に達した時から一定の時間が経過した時に、前記レシーバタンク内の液冷媒を前記暖房用熱交換器の液側に戻すことである。
【０００９】
これによれば、先の吸収式冷暖房装置の暖房運転制御方法の作用に加え、凝縮冷媒量が過剰に滞留する前に液冷媒を戻すことができる。
【００１０】
【発明の実施の形態】
以下、本発明に係る吸収式冷暖房装置の暖房運転制御方法の実施の形態を図面に基づいて詳細に説明する。
【００１１】
図３は、空冷吸収式冷暖房装置の全体回路の系統図である。空冷吸収式冷暖房装置１は、稀溶液５１ｂを加熱する加熱源４９を有する高温再生器４２と、高温再生器４２で加熱された稀溶液５１ａを冷媒蒸気５４ａと中間濃溶液５２ａとに分離する分離器４３と、分離器４３からの中間濃溶液５２ａと高温再生器４２に流入する稀溶液５１ｃとを熱交換させる高温溶液熱交換器４５と、分離器４３から導かれた冷媒蒸気５４ａにより中間濃溶液５２ｂを加熱し冷媒蒸気５４ｂと濃溶液５３ａとに分離する低温再生器４６とを有している。
【００１２】
更に、空冷吸収式冷暖房装置１は、低温再生器４６からの冷媒蒸気５４ａ、５４ｂを凝縮させる凝縮器３６と、この凝縮器３６により濃縮した液冷媒５５ａを貯蔵する冷媒貯蔵室６２と、この冷媒貯蔵室６２の液冷媒５５ａを冷媒ポンプ６１及び液冷媒送り管５８ａを経由して送り出された液冷媒５５ｂを蒸発器コイル８に散布して蒸発させ２次側冷媒３０の冷媒ガス３１を液冷媒３２に冷却する冷房用熱交換器である低圧の蒸発器７とを有している。
【００１３】
そして、低温再生器４６から流入した濃溶液５３ａを高温溶液熱交換器４５に流入させる稀溶液５１ｃと熱交換させて冷却する低温溶液熱交換器４７と、低温溶液熱交換器４７からの濃溶液５３ｂを散布し蒸発器７から流入した冷媒蒸気を吸収させて稀溶液５１ｄとする吸収器４０と、吸収器４０で生じた稀溶液５１ｄを低温溶液熱交換器４７及び高温溶液熱交換器４５を介して高温再生器４２に圧送する溶液循環ポンプ４８とを有するものである。尚、参照番号３９は、凝縮器３６及び吸収器４０を冷却する外気を取り入れる送風機である。
【００１４】
一方、空冷吸収式冷暖房装置１の２次冷媒側は、暖房運転時に、２次側冷媒ガス３１が蒸発器７で外気によって凝縮して発生した液冷媒３２を液冷媒管１９（液側５）に戻すブースターユニット９と、２次側液冷媒３２ａを加熱して冷媒ガス３１にする加熱熱交換器である暖房用熱交換器３と、暖房運転時に開となる暖房弁１６とを有している。尚、符号６は暖房用熱交換器３のガス側を示す。
【００１５】
図４は、図３の空冷吸収式冷暖房装置１内に設けられた２次側循環回路を示す系統図である。この図にはブースターユニット９を２点鎖線で示している。２次側循環回路２は、その暖房運転時に、図示していない室内機から液冷媒管１９を介して戻ってきた液冷媒３２ａを通過させる暖房弁１６と、この暖房弁１６からの液冷媒３２ａを加熱コイル４で加熱し冷媒ガス管１７を介して室内機に再び供給する暖房用熱交換器３とを有する。暖房用熱交換器３は、図３の分離器４３内に設けられている。
【００１６】
更に、２次側循環回路２は、その冷房運転時に、図示していない室内機から冷媒ガス管１７を介して送られた冷媒ガス３１を蒸発器コイル８で冷却、凝縮させる冷房用熱交換器である蒸発器７と、この蒸発器７で凝縮した液冷媒３２を溜めるレシーバタンク１３と、蒸発器７で凝縮した液冷媒３２を逆止弁１１を介して液冷媒管１９に戻し室内機に再び供給する液冷媒搬送装置或いは液冷媒戻し手段であるブースター１０とを有する。又、冷媒ガス管１７には温度センサー１８が、レシーバタンク１３にはフロートスイッチ１４がそれぞれ設けられており、温度センサー１８の温度検知信号及びフロートスイッチ１４の液冷媒レベル信号によって、暖房弁１６及びブースター１０を制御するコントローラ２１を有している。
【００１７】
次に、上記２次側循環回路２の暖房運転時の動作について説明する。図４において、暖房運転の時には、暖房運転スタート指令によりコントローラ２１は、暖房弁１６を開とする操作信号を暖房弁１６に送り、暖房弁１６は開かれる。液冷媒管１９より導入された液冷媒３２ａは、逆止弁１１側へは流れず暖房用熱交換器の加熱コイル４に流れて加熱され、ガス化して大半は冷媒ガス管１７から図示していない室内機へ送られる。残りは凝縮して蒸発器７やレシーバタンク１３内に滞留する。
【００１８】
更に、フロートスィッチ１４により液冷媒３２の液レベルを検知し、これが所定の量ｍ0（又は所定の高さｈ0）を検知してから一定の時間ｔ0、例えば１５分後にほぼレシーバタンク１３内が満たされるように設定されている。レシーバタンク１３内が満たされた時、ブースター１０を起動すると、レシーバタンク１３内及び蒸発器７内の液冷媒３２は吸込管１２、逆止弁１１を経由して暖房用熱交換器の液側５の液冷媒管１９へ戻されるので、液冷媒管１９、暖房用熱交換器３及び冷媒ガス管１７内には、常に適正な２次冷媒量が確保されることになる。そして、レシーバタンク１３内の液冷媒３２が液冷媒管１９側へ放出されると、フロートスイッチ１４が液レベルの低下を検知し、その液レベル信号をコントローラ２１に送り、コントローラ２１はブースター１０を停止する操作信号をブースター１０に送り、ブースター１０は停止する。
【００１９】
冷房運転時には、冷房運転スタート指令によりコントローラ２１は、暖房弁１６を閉とする操作信号を暖房弁１６に送り、暖房弁１６は閉じられる。従来と同様に、冷媒ガス管１７より図示していない室内機からの冷媒ガス３１が蒸発器７に導かれ冷却され、凝縮して液冷媒３２となりレシーバタンク１３に溜る。液冷媒３２の量が増すとフロートスイッチ１４が検知して、液レベル信号をコントローラ２１に送り、コントローラ２１は、ブースター１０を起動する操作信号をブースター１０に送り、蒸発器７及びレシーバタンク１３内の液冷媒３２を液冷媒管１９を介して室内機へ圧送する。レシーバタンク１３内の液量が減少し、フロートスイッチ１４が液レベルの低下を検知するとブースター１０は停止する。
【００２０】
図１は、本発明に係る吸収式冷暖房装置の暖房運転制御方法の一実施の形態を線図で示した系統図である。空冷吸収式冷暖房装置１の暖房運転制御方法は、暖房運転スタート指令２３により暖房弁開２８が行なわれる。次に、フロートスイッチ判定２４で所定の量ｍ0に達しない場合はブースタ停止２７が行なわれ、フロートスイッチ判定２４に戻る。フロートスイッチ判定２４で所定の量ｍ0に達した場合は、フロートスイッチＯＮより一定の時間ｔ0経過したかの判定２５で、一定の時間ｔ0、例えば１５分経過しない場合は再び液冷媒３２の溜るのを待つ。一定の時間ｔ0（１５分）経過した場合はブースター運転２６を行ないフロートスイッチ判定２４に戻る。
【００２１】
図２は、図１の暖房運転制御方法による暖房運転状態を示す線図である。図２に示すように、本実施の形態の暖房運転制御方法は、暖房運転の際に冷媒ガス３１が凝縮して発生する２次側冷媒管の液不足を解消することが出来、空冷吸収式冷暖房装置１の継続的な運転が可能となる。図６に示したような暖房運転の際の頻繁な発停を繰り返すことなく継続的な運転を行なうことが出来、十分な暖房出力を得ることが出来る。
【００２２】
尚、上記暖房運転制御方法の実施の形態においては、空冷の吸収式冷暖房装置に適用した場合について説明したが、本発明はこれに限定されず、水冷の吸収式冷暖房装置に対しても適用出来ることは勿論である。又、２次側冷媒は、相変化するもの、例えばフロン、アルコール及び水と潜熱剤の混合物等が使用出来る。
【００２３】
【発明の効果】
本発明の吸収式冷暖房装置の暖房運転制御方法によれば、２次側冷媒ガスが凝縮して発生する２次側冷媒量の不足を解消することが出来、吸収式冷暖房装置の暖房運転を継続的に行なうことが可能となり、継続的に十分な暖房出力が得られる。
【図面の簡単な説明】
【図１】本発明に係る吸収式冷暖房装置の暖房運転制御方法の一実施の形態を線図で示した系統図である。
【図２】図１の暖房運転制御方法による暖房運転状態を示す線図である。
【図３】空冷吸収式冷暖房装置の全体回路の系統図である。
【図４】図３の空冷吸収式冷暖房装置内に設けられた２次側循環回路を示す系統図である。
【図５】従来技術に係る吸収式冷暖房装置の暖房運転制御方法の制御系統図である。
【図６】図５の暖房運転制御方法による暖房運転状態を示す線図である。
【符号の説明】
１  空冷吸収式冷暖房装置（吸収式冷暖房装置）
２  ２次側循環回路
３  暖房用熱交換器（加熱熱交換器）
５  液側
３０  ２次側冷媒
３１  ２次側冷媒ガス
３２  ２次側液冷媒
３５  １次側循環回路
ｍ0  所定の量
ｔ0  一定の時間
【図１】
0003735743.tif 000002
【図２】
0003735743.tif 000003
【図３】
0003735743.tif 000004
【図４】
0003735743.tif 000005
【図５】
0003735743.tif 000006
【図６】
0003735743.tif 000007